【手続補正書】
【提出日】平成18年8月1日(2006.8.1)
【手続補正１】
【補正対象書類名】特許請求の範囲
【補正対象項目名】全文
【補正方法】変更
【補正の内容】
【特許請求の範囲】
【請求項１】
繊維性材料と、
前記繊維性材料を結合して一体化されたウェブにするためのバインダ組成物と、
を含み、前記バインダ組成物は、ビニル官能性カチオン系モノマーと、炭素原子が１から４までのアルキル側鎖を有する１つ又はそれ以上の疎水性ビニルモノマーとの重合生成物を含み、
前記繊維性材料は、約０．３重量％から約１０重量％の一価又は二価塩を含有する水性塩溶液を含む湿潤溶液によって湿潤され、前記バインダ組成物が前記湿潤溶液中に溶けず、前記バインダ組成物が２００ｐｐｍまでのＣａ2+及び／又はＭｇ2+イオンを含有する水に分散するようにされたことを特徴とする湿潤拭取り材。
【請求項２】
前記一価又は二価塩がハロゲン化アルカリ金属であることを特徴とする請求項１に記載の湿潤拭取り材。
【請求項３】
前記ビニル官能性カチオン系モノマーが、［２−（アクリロキシ）エチル］ジメチル塩化アンモニウム、［２−（メタクリロキシ）エチル］ジメチル塩化アンモニウム、［２−（アクリロキシ）エチル］トリメチル塩化アンモニウム、［２−（メタクリロキシ）エチル］トリメチル塩化アンモニウム、（３−アクリルアミドプロピル）トリメチル塩化アンモニウム、Ｎ，Ｎ−ジアリルジメチル塩化アンモニウム、［２−（アクリロキシ）エチル］ジメチルベンジル塩化アンモニウム、及び［２−（メタクリロキシ）エチル］ジメチルベンジル塩化アンモニウムから選択されることを特徴とする請求項１に記載の湿潤拭取り材。
【請求項４】
前記ビニル官能性カチオン系モノマーが、後でそのポリマーを第４級化することができるビニルピリジン、ジメチルアミノエチルアクリレート、及びジメチルアミノエチルメタクリレートから選択された前駆体モノマーから選択されることを特徴とする請求項１に記載の湿潤拭取り材。
【請求項５】
前記ビニル官能性カチオン系モノマーが、［２−（アクリロキシ）エチル］ジメチル塩化アンモニウム、［２−（アクリロキシ）エチル］ジメチル臭化アンモニウム、［２−（アクリロキシ）エチル］ジメチルヨウ化アンモニウム、［２−（アクリロキシ）エチル］ジメチル硫酸メチルアンモニウムから選択されることを特徴とする請求項１に記載の湿潤拭取り材。
【請求項６】
前記ビニル官能性カチオン系モノマーが、［２−（メタクリロキシ）エチル］ジメチル塩化アンモニウム、［２−（メタクリロキシ）エチル］ジメチル臭化アンモニウム、［２−（メタクリロキシ）エチル］ジメチルヨウ化アンモニウム、［２−（メタクリロキシ）エチル］ジメチル硫酸メチルアンモニウムから選択されることを特徴とする請求項１に記載の湿潤拭取り材。
【請求項７】
前記ビニル官能性カチオン系モノマーが、［２−（アクリロキシ）エチル］トリメチル塩化アンモニウム、［２−（アクリロキシ）エチル］トリメチル臭化アンモニウム、［２−（アクリロキシ）エチル］トリメチルヨウ化アンモニウム、［２−（アクリロキシ）エチル］トリメチル硫酸メチルアンモニウムから選択されることを特徴とする請求項１に記載の湿潤拭取り材。
【請求項８】
前記ビニル官能性カチオン系モノマーが、［２−（メタクリロキシ）エチル］トリメチル塩化アンモニウム、［２−（メタクリロキシ）エチル］トリメチル臭化アンモニウム、［２−（メタクリロキシ）エチル］トリメチルヨウ化アンモニウム、［２−（メタクリロキシ）エチル］トリメチル硫酸メチルアンモニウムから選択されることを特徴とする請求項１に記載の湿潤拭取り材。
【請求項９】
前記ビニル官能性カチオン系モノマーが、（３−アクリルアミドプロピル）トリメチル塩化アンモニウム、（３−アクリルアミドプロピル）トリメチル臭化アンモニウム、（３−アクリルアミドプロピル）トリメチルヨウ化アンモニウム、（３−アクリルアミドプロピル）トリメチル硫酸メチルアンモニウム、から選択されることを特徴とする請求項１に記載の湿潤拭取り材。
【請求項１０】
前記ビニル官能性カチオン系モノマーが、Ｎ，Ｎ−ジアリルジメチル塩化アンモニウム、Ｎ，Ｎ−ジアリルジメチル臭化アンモニウム、Ｎ，Ｎ−ジアリルジメチルヨウ化アンモニウム、及びＮ，Ｎ−ジアリルジメチル硫酸メチルアンモニウム、から選択されることを特徴とする請求項１に記載の湿潤拭取り材。
【請求項１１】
前記ビニル官能性カチオン系モノマーが、［２−（アクリロキシ）エチル］ジメチルベンジル塩化アンモニウム、［２−（アクリロキシ）エチル］ジメチルベンジル臭化アンモニウム、［２−（アクリロキシ）エチル］ジメチルベンジルヨウ化アンモニウム、及び［２−（アクリロキシ）エチル］ジメチルベンジル硫酸メチルアンモニウム、から選択されることを特徴とする請求項１に記載の湿潤拭取り材。
【請求項１２】
前記ビニル官能性カチオン系モノマーが、［２−（メタクリロキシ）エチル］ジメチルベンジル塩化アンモニウム、［２−（メタクリロキシ）エチル］ジメチルベンジル臭化アンモニウム、［２−（メタクリロキシ）エチル］ジメチルベンジルヨウ化アンモニウム、及び［２−（メタクリロキシ）エチル］ジメチルベンジル硫酸メチルアンモニウムから選択されることを特徴とする請求項１に記載の湿潤拭取り材。
【請求項１３】
前記疎水性ビニルモノマーが、分岐鎖又は直鎖アルキルビニルエーテル、ビニルエステル、アクリルアミド及びアクリレートから選択されることを特徴とする請求項１に記載の湿潤拭取り材。
【請求項１４】
繊維性材料と、
前記繊維性材料を結合して一体化されたウェブにするためのバインダ組成物と、
を含み、前記バインダ組成物は、以下の構造をもつ組成物を含み、
【化１】
2006500101.tif 000001
式中、ｘ＝１から約１５モルパーセント、ｙ＝約６０から約９９モルパーセント、及びｚ＝０から約３０モルパーセントであり、Ｑは、Ｃ1−Ｃ4アルキルアンモニウム、第４級Ｃ1−Ｃ4アルキルアンモニウム及びベンジルアンモニウムから選択され、Ｚは、−Ｏ−、−ＣＯＯ−、−ＯＯＣ−、−ＣＯＮＨ−、及び−ＮＨＣＯ−から選択され、Ｒ1、Ｒ2、Ｒ3は、水素及びメチルから個別に選択され、Ｒ4は、Ｃ1−Ｃ4アルキルであり、Ｒ5は、水素、メチル、エチル、ブチル、エチルヘキシル、デシル、ドデシル、ヒドロキシエチル、ヒドロキシプロピル、ポリオキシエチレン、及びポリオキシプロピレンから選択され、
前記繊維性材料は、約０．３重量％から約１０重量％の一価又は二価塩を含有する水性塩溶液を含む湿潤溶液によって湿潤され、前記バインダ組成物が前記湿潤溶液中に溶けず、前記バインダ組成物が２００ｐｐｍまでのＣａ2+及び／又はＭｇ2+イオンを含有する水に分散するようにされたことを特徴とする湿潤拭取り材。
【請求項１５】
前記一価又は二価塩がハロゲン化アルカリ金属であることを特徴とする請求項１４に記載の湿潤拭取り材。
【請求項１６】
前記組成物が、以下の構造をもつカチオン系アクリレート又はメタクリレートと、１つ又はそれ以上のアルキルアクリレート又はメタクリレートとの重合生成物であり、
【化２】
2006500101.tif 000002
式中、ｘ＝１から約１５モルパーセント、ｙ＝約６０から約９９モルパーセント、及びｚ＝０から約３０モルパーセントであり、Ｒ4は、Ｃ1−Ｃ4アルキルであり、Ｒ5は、水素、メチル、エチル、ブチル、エチルヘキシル、デシル、ドデシル、ヒドロキシエチル、ヒドロキシプロピル、ポリオキシエチレン、及びポリオキシプロピレンから選択されることを特徴とする請求項１４に記載の湿潤拭取り材。
【請求項１７】
前記組成物が、以下の構造を有し、
【化３】
2006500101.tif 000003
式中、ｘ＝１から約１５モルパーセント、ｙ＝約８５から約９９モルパーセント、及びＲ4は、Ｃ1−Ｃ4アルキルであることを特徴とする請求項１４に記載の湿潤拭取り材。
【請求項１８】
ｘ＝約３から約６モルパーセント、ｙ＝約９４から約９７モルパーセント、及びＲ4は、メチルであることを特徴とする請求項１７に記載の湿潤拭取り材。
【請求項１９】
繊維性材料と、
前記繊維性材料を結合して一体化されたウェブにするためのバインダ組成物と、
を含み、前記バインダ組成物は、以下の構造をもつ組成物を含み、
【化４】
2006500101.tif 000004
式中、ｘ＝３から約６モルパーセント、ｙ＝約９６から約９７モルパーセント、及びＲ4は、メチルであり、
前記繊維性材料が、約１重量％から約４重量％までのＮａＣｌを含む水性塩溶液からなる湿潤溶液によって湿潤されることを特徴とする湿潤拭取り材。